(57)【要約】      （修正有）【課題】誰でも簡単に被写体の大きさを確認することが可能になるプリンター装置の提供。【解決手段】デジタルカメラで撮影した被写体画像に撮影時のカメラ情報を付加し、プリンタで印刷処理時にその情報をもとに撮影された物体の寸法を計算し、計算結果のスケールを被写体画像に重畳させ、また任意の倍率へ自動でスケーリングを行なうスケーリング機能を搭載し、算出した被写体の寸法に合わせて原寸大にスケーリングしたものを印刷する。【選択図】        図１
2006256114.tif 000002
【特許請求の範囲】
【請求項１】
印字を行うプリンタエンジン部と、前記プリンタエンジン部を制御するための１つのコントローラ部を備えたプリンタ装置であって、前記プリンタコントローラ部において撮影時のレンズ情報を基に被写体の寸法を算出する機能を備えることを特徴とするプリンタ装置。
【請求項２】
請求項１に記載のプリンタ装置であって、算出した被写体の寸法から実際の大きさにスケールした画像を生成し印刷を行う、スケール変換機能を有することを特徴とするプリンタ装置。
【発明の詳細な説明】
【技術分野】
【０００１】
本発明は画像印刷技術に関し、特に、被写体の寸法を算出し、さらに実際の大きさにスケールした画像を生成し、印刷を行うプリンタ装置に関する。
【背景技術】
【０００２】
電子スチルカメラ（以下、デジタルカメラ）が小型化し安価で購入できるようになり、購入して持ち歩く人が多くなっている。どこでも手軽にデジタルカメラで撮影を行うことができ、それに伴い、撮影データをプリンタから印刷する機会も以前に比べ大幅に増えている。また、写真から被写体の寸法を計測する手法は昔から様々な分野において使用されており、デジタルカメラで撮影した被写体の寸法を調べる方法もいくつか存在する。
【０００３】
例えば、特許文献１では、寸法が既知である物体を被写体と共に撮影し、そのスケールから撮影倍率を算出、それに合わせて予め登録しておいたスケール画像を重ね合わせてモニター画像に表示する手法を提案している。
【０００４】
また、特許文献２では、デジタルカメラで撮影した被写体について、測距データもしくはレンズ情報から被写体との距離と大きさを算出し、大きさが比較できるスケール画像を被写体画像と重複させて表示する手法を提案している。
【特許文献１】特開平１０−２８１７２８号公報
【特許文献２】特開平１１−１０２００７号公報
【発明の開示】
【発明が解決しようとする課題】
【０００５】
カメラで撮影された物体について、大きさがほぼ分かっているもの（人物や車等）を除いて、画像を見てその正確な大きさを認識することは難しい。たとえ撮影者であっても撮影後にその画像を見直した場合など、その大きさを正確に思い出し再現することは容易ではない。にもかかわらず、例えば釣り上げた魚や家具等撮影した物体の正確なスケールを知りたいと思う機会は少なからず存在する。
【０００６】
前述の特許文献１や２のように、デジタルカメラで撮影した被写体の寸法を算出しスケール画像を重複した結果をカメラに付属の表示画面やＰＣに接続したディスプレイに提示することで、被写体の寸法を知ることが可能になる。
【０００７】
しかし、カメラ付属の画面へ表示させるために、実際の寸法ではなく表示倍率を変更（ほとんどは縮小）させた形でしか表示させることができず、実物体と比較をしたい場合には原寸大で表示させたいという要求に答えることができないという課題が存在する。また、カメラに付属の表示画面やＰＣに接続したディスプレイで寸法表示された画像を確認するだけでなく、それを印刷したいと思うのは当然である。
【０００８】
本発明は、以上の点に着目して成されたもので、誰でも簡単に被写体の大きさを確認することが可能になるプリンタ装置を提供することを目的とする。
【課題を解決するための手段】
【０００９】
上記課題を解決するために、レンズ情報が付加されたデジタルカメラで撮影した被写体画像を印刷するときに、プリンタコントローラ部においてレンズ情報を基に被写体の寸法を算出しスケール画像を生成、それを被写体画像に重畳して印刷を行うことを特徴とするプリンタ装置を提案する。
【００１０】
また、任意の倍率へ自動でスケーリングを行うスケール変換機能を搭載し、算出した被写体の寸法に合わせて原寸大にスケール変換したものを印刷する。
【００１１】
すなわち、本発明の技術内容は以下の構成を備えることにより前記課題を解決できた。
【００１２】
（１）印字を行うプリンタエンジン部と、前記プリンタエンジン部を制御するための１つのコントローラ部を備えたプリンタ装置であって、前記プリンタコントローラ部において撮影時のレンズ情報を基に被写体の寸法を算出する機能を備えることを特徴とするプリンタ装置。
【発明の効果】
【００１３】
本発明のプリンタ装置は、デジタルカメラで撮影した被写体の寸法を算出する機能を有し、原寸大にスケーリングして印刷を行うことで、誰でも簡単に被写体の大きさを確認することが可能になる。
【発明を実施するための最良の形態】
【００１４】
以下、本発明の実施の形態について説明する。
【実施例１】
【００１５】
図１は本実施例におけるプリンタ装置と関連デバイスの関係を示している。
【００１６】
図１において、１０１はプリンタ装置であり、印刷処理を行うコントローラ部１１１、印字を行うプリンタエンジン部１１２、それらを繋いでいるエンジンインターフェース部１１３から成る。１０２は印刷要求を出すホストコンピュータであり、１０３は被写体を撮影し画像ファイルを生成するデジタルカメラである。ここで、デジタルカメラ１０３は特許文献２に代表されるように、撮影時のレンズ情報（レンズ焦点距離、レンズとＣＣＤとの距離等）を取得し保存画像データに記録することができるものとする。
【００１７】
図２は処理の流れを表すフローチャートである。
【００１８】
印刷実行が開始されると、ホストコンピュータ１０２からプリンタコントローラ部１１１へデータが送られる（Ｓ１）。次に、画像データに撮影時のレンズ情報が埋め込まれているかどうかを確認し（Ｓ２）、レンズ情報があればその情報を基に特許文献２で紹介されている手法によりコントローラ部１１１で被写体までの距離および被写体の大きさを算出する（Ｓ３）。また、レンズ情報がないデータであれば、通常の印刷処理（Ｓ８）を行い終了する。スケール算出後、ユーザに参考となるスケール表示をさせるかどうか選択させ（Ｓ４）、ＹＥＳであればスケール画像を生成し被写体画像に重畳させた重畳画像を作成する（Ｓ５）。ＮＯであればスケーリング選択続いて、原寸大にスケーリングして印刷するかどうかの選択をさせ（Ｓ６）、ＹＥＳであれば、出力画像データを原寸大にスケーリングする（Ｓ７）。最後に印刷処理を行う（Ｓ８）。
【実施例２】
【００１９】
実施例１では、ホストコンピュータ１０２を介してデジタルカメラ１０３とプリンタ１０１を接続していたが、デジタルカメラ１０３とプリンタ１０１を直接接続させるいわゆるダイレクトプリント方式の印刷についても適応することが可能である。
【図面の簡単な説明】
【００２０】
【図１】本発明におけるプリンタ装置と関連デバイスの構成図
【図２】本発明におけるプリンタ装置の処理を表すフローチャート
【符号の説明】
【００２１】
１０１    プリンタ装置
１０２    ホストコンピュータ
１０３    デジタルカメラ
１１１    コントローラ部
１１２    プリンタエンジン部
１１３    エンジンインターフェース部
【図１】
2006256114.tif 000003
【図２】
2006256114.tif 000004